(57)【要約】【課題】携帯用保冷箱内に液状化した二酸化チタンを塗布した触媒板を形成し、該触媒板に波長の短い光である紫外線を照射することにより光触媒作用が生じ、この光触媒作用による強い酸化触媒作用から携帯用保冷箱内の殺菌及び脱臭することができる携帯用保冷箱を提供する。【解決手段】断熱効果を有する素材で形成された携帯用保冷箱であって、前記携帯保冷箱の内部に、光を透過可能な板の上面に二酸化チタンが薄膜状に塗布された触媒板と、前記触媒板の下方から紫外線を照射する紫外線冷極管灯とを構成した。【選択図】図１
2006317100.tif 000002
【特許請求の範囲】
【請求項１】
断熱効果を有する素材で形成された携帯用保冷箱であって、前記携帯保冷箱の内部に、光を透過可能な板の上面に二酸化チタンが薄膜状に塗布された触媒板と、前記触媒板の下方から紫外線を照射する紫外線冷極管灯とを備え、携帯用保冷箱内に収容される物に対して光触媒効果を効果的に得られるようにしたことを特徴とした携帯用保冷箱。
【請求項２】
請求項１において、前記触媒板は、前記携帯用保冷箱の内部の底面となるように形成されていることを特徴とした携帯用保冷箱。
【請求項３】
請求項１又は２において、前記携帯用保冷箱には、前記紫外線冷極管灯を点灯させる充電可能な二次電池と、前記二次電池を充電可能とする充電端子とを備えたことを特徴とした携帯用保冷箱。
【請求項４】
断熱効果を有する素材で形成された携帯用保冷箱と、前記携帯用保冷箱に内設される光触媒装置であって、前記光触媒装置は、光を透過可能な板の上面に二酸化チタンが薄膜状に塗布されており、前記光触媒装置の上面を形成する触媒板と、前記光触媒装置の内部に前記触媒板の下方から紫外線を照射する紫外線冷極管灯とを備え、携帯用保冷箱内に収容される物に対して光触媒効果を効果的に得られるようにしたことを特徴とした携帯用保冷箱。
【請求項５】
請求項４において、前記光触媒装置には、前記紫外線冷極管灯を点灯させる充電可能な二次電池を更に備えたことを特徴とした携帯用保冷箱。
【請求項６】
請求項４又は５おいて、前記光触媒装置は、前記携帯用保冷箱と着脱可能とされることを特徴とした携帯用保冷箱。
【請求項７】
請求項１乃至６のいずれか１項において、前記触媒板は、透明なポリカーボネイトで形成され、前記ポリカーボネイトの上面に二酸化チタンを１μｍ以下の薄膜として塗布して形成したことを特徴とした携帯用保冷箱。
【請求項８】
請求項１乃至７のいずれか１項において、前記紫外線冷極管灯から放射される光の波長は、３５０〜３８０ｎｍとしたことを特徴とした携帯用保冷箱。
【発明の詳細な説明】
【技術分野】
【０００１】
本発明は、収容する物を保冷する携帯用保冷箱に関するものである。
【背景技術】
【０００２】
従来、特開平１０−１１３１１７号公報「保冷箱」のように、保冷箱内にオゾンガス発生器を取付けて保冷箱内の殺菌浄化を行うものがあった。しかしながら、オゾンガス発生器などを用いるために保冷箱自体の重量が大幅に増したり、オゾンガス自体の環境問題など、様々な問題があった。
【０００３】
また現状の魚釣り用のクーラーボックス（以下携帯用保冷箱という）は、保冷処置だけの保存だけでは、腐敗を防ぐことにより、釣った魚の鮮度を一応は保つことができても、より鮮度を長く保って腐敗を防止する為には、保冷箱の中を汚さないようにして、臭いも発生させないことも必要である。
【０００４】
釣った魚の鮮度を保つ為に、オゾンガスを発生させる装置などを用いることは、大がかりな装置を必要とし、保冷箱の携帯性が損なわれ、装置自体のコストアップとなっている。
【０００５】
また、近年、二酸化チタン（ＴｉＯ２）に代表される光半導体の微粒子による光触媒作用による強い酸化触媒作用に高い注目が集められている。
【０００６】
尚、光半導体の微粒子による光触媒作用は、光半導体微粒子に波長の短い光を照射することにより空気中又は水の中に溶け込んでいる酸素が光吸着され、該酸素と電子ｅ−との反応により、この酸素がスーパーオキサイドイオンＯ２−となり、さらに、正孔ｈ＋、電子ｅ−と反応して、強力な活性酸素である原子状酸素Ｏ−となって、この原子状酸素Ｏ−が有機部を酸化分解する働きを行うと為、強い酸化触媒作用が生じるとされている。また、強い酸化触媒作用により、有機物である雑菌は分解されるために、臭いなどが発生することがないとされている。
【特許文献１】特開平１０−１１３１１７号公報
【発明の開示】
【発明が解決しようとする課題】
【０００７】
そこで、本発明は、上記従来技術の問題点に斯かる実情に鑑みなされたもので、携帯用保冷箱内に液状化した二酸化チタンを塗布した触媒板を形成し、該触媒板に波長の短い光である紫外線を照射することにより光触媒作用が生じ、この光触媒作用による強い酸化触媒作用から携帯用保冷箱内の殺菌及び脱臭することができる携帯用保冷箱を提供することを課題とする。
【課題を解決するための手段】
【０００８】
請求項１記載の発明は、断熱効果を有する素材で形成された携帯用保冷箱であって、前記携帯保冷箱の内部に、光を透過可能な板の上面に二酸化チタンが薄膜状に塗布された触媒板と、前記触媒板の下方から紫外線を照射する紫外線冷極管灯とを備え、携帯用保冷箱内に収容される物に対して光触媒効果を効果的に得られるようにしたことを特徴とする。
【０００９】
請求項２記載の発明は、請求項１において、前記触媒板は、前記携帯用保冷箱の内部の底面となるように形成されていることを特徴とする。
【００１０】
請求項３記載の発明は、請求項１又は２において、前記携帯用保冷箱には、前記紫外線冷極管灯を点灯させる充電可能な二次電池と、前記二次電池を充電可能とする充電端子とを備えたことを特徴とする。
【００１１】
請求項４記載の発明は、断熱効果を有する素材で形成された携帯用保冷箱と、前記携帯用保冷箱に内設される光触媒装置であって、前記光触媒装置は、光を透過可能な板の上面に二酸化チタンが薄膜状に塗布されており、前記光触媒装置の上面を形成する触媒板と、前記光触媒装置の内部に前記触媒板の下方から紫外線を照射する紫外線冷極管灯とを備え、携帯用保冷箱内に収容される物に対して光触媒効果を効果的に得られるようにしたことを特徴とする。
【００１２】
請求項５記載の発明は、請求項４において、前記光触媒装置には、前記紫外線冷極管灯を点灯させる充電可能な二次電池を更に備えたことを特徴とする。
【００１３】
請求項６記載の発明は、請求項４又は５おいて、前記光触媒装置は、前記携帯用保冷箱と着脱可能とされることを特徴とする。
【００１４】
請求項７記載の発明は、請求項１乃至６のいずれか１項において、前記触媒板は、透明なポリカーボネイトで形成され、前記ポリカーボネイトの上面に二酸化チタンを１μｍ以下の薄膜として塗布して形成したことを特徴とする。
【００１５】
請求項８記載の発明は、請求項１乃至７のいずれか１項において、前記紫外線冷極管灯から放射される光の波長は、３５０〜３８０ｎｍとしたことを特徴とする。
【発明の効果】
【００１６】
請求項１記載の発明によれば、断熱効果を有する素材で形成された携帯用保冷箱であって、携帯保冷箱の内部に、光を透過可能な板の上面に二酸化チタンが塗布された触媒板と、前記触媒板の下方から紫外線を照射する紫外線冷極管灯と備えることによって、光触媒の光触媒効果から携帯用保冷箱内の殺菌及び脱臭することができる携帯用保冷箱を提供することができる。また、触媒板、紫外線冷極管灯と簡素で軽量な構成で光触媒作用を得られることから、携帯用保冷箱自体の軽量化を計ることが可能である。
【００１７】
請求項２記載の発明によれば、請求項１に記載の触媒板は、携帯用保冷箱の内部の底面となるように形成されていることにより、収容される物が直接光触媒の触媒板に接触するために、効率良く除菌及び脱臭することが可能となる。また収容される物と一緒に氷が収容される場合、該氷が溶け携帯用保冷箱の底面に水が溜まり、該水を除菌するこが可能となる。例えば、有機物であり保冷箱の中を汚し悪臭を放つ原因となる魚の体液、排泄物、血液などと、氷が溶け出した水に含まれる雑菌などが、光触媒の効果によって分解され、除菌及び脱臭される。
【００１８】
請求項３記載の発明によれば、請求項１又は２に記載の携帯用保冷箱には、紫外線冷極管灯を点灯させ充電可能な二次電池と、前記二次電池を充電可能とする充電端子とを備えることによって、電源の無い屋外で使用可能とし、保冷箱自体を持ち運びすることができる。
【００１９】
請求項４記載の発明によれば、断熱効果を有する素材で形成された携帯用保冷箱と、携帯用保冷箱に内設される光触媒装置であって、光を透過可能な板の上面に二酸化チタンが塗布され、該光触媒装置の上面を形成する触媒板と、該光触媒装置の内部に触媒板の下方から紫外線を照射する紫外線冷極管灯と備えた光触媒装置と備えることによって、光触媒の光触媒効果から携帯用保冷箱内の殺菌及び脱臭することができる携帯用保冷箱を提供することができる。また携帯用保冷箱に内設される光触媒装置は、触媒板、紫外線冷極管灯と簡素で軽量な構成で光触媒作用を得られることから、従来の保冷箱に比べ、携帯用保冷箱の重量を余り変えることなく光触媒装置を付加することが可能である。
【００２０】
請求項５記載の発明によれば、請求項４に記載の光触媒装置には、紫外線冷極管灯を点灯させ充電可能な二次電池とを備えることによって、電源の無い屋外で使用可能とし、保冷箱自体を持ち運びすることができる。
【００２１】
請求項６記載の発明によれば、請求項４又は５に記載の光触媒装置は、前記携帯用保冷箱と着脱可能とすることによって、光触媒装置自体を別の携帯用保冷箱内に取付けて作動させることができる。
【００２２】
請求項７記載の発明によれば、請求項１乃至６のいずれか１項に記載の触媒板は、透明なポリカーボネイトで形成され、前記ポリカーボネイトの上面に二酸化チタンを１μｍ以下の薄膜として塗布して形成することにより、より光触媒の光触媒効果を得ることができる。
【００２３】
請求項８記載の発明によれば、請求項１乃至７のいずれか１項に記載の紫外線冷極管灯から放射される光の波長は、３５０〜３８０ｎｍとすることにより、人体に対して安全な光の波長であり且つ光触媒の光触媒効果を最大限の効果を得ることができる。
【発明を実施するための最良の形態】
【００２４】
断熱効果を有する素材で形成された携帯用保冷箱であって、前記携帯用保冷箱の内部の底面に、光を透過可能な板の上面に二酸化チタンが薄膜状に塗布された触媒板と、前記触媒板の下方から紫外線を照射する紫外線冷極管灯と、前記紫外線冷極管灯を点灯させ充電可能な二次電池とを設けることとする。
【００２５】
そして、断熱効果を有する素材で形成された携帯用保冷箱と、前記携帯用保冷箱に内設される光触媒装置であって、前記光触媒装置は、光を透過可能な板の上面に二酸化チタンが薄膜状に塗布され、前記光触媒装置の上面を形成する触媒板と、前記光触媒装置の内部に前記触媒板の下方から紫外線を照射する紫外線冷極管灯と、前記紫外線冷極管灯を点灯させ充電可能な二次電池で構成し、前記光触媒装置は、前記携帯用保冷箱と着脱可能とする。
【００２６】
また、前記触媒板は、透明なポリカーボネイトで形成され、該ポリカーボネイトの上面に二酸化チタンを１μｍ以下の薄膜として塗布して形成すると共に、前記紫外線冷極管灯から放射される光の波長は、３５０〜３８０ｎｍとする。
【実施例】
【００２７】
以下、図を参照して、本発明を適用した実施の形態について説明する。図１〜２を用いて携帯用保冷箱１０の説明を行う。図１は、携帯用保冷箱１０の外観を示す図であり、図２は、携帯用保冷箱１０の断面を示す図である。
【００２８】
携帯用保冷箱１０は、上端に開口を有する箱部１２と、該箱部１２の上端の開口を覆うよう蓋部１４からなる。また、該箱部１２の上端の開口の端辺にヒンジ１６を備え該蓋部１４は、開閉自在に軸支されている。該箱部１２及び蓋部１４は、断熱性を有する素材である発泡ウレタン樹脂で形成されており、携帯用保冷箱１０内の温度を保つようになっている。また、箱部１２及び蓋部１４を形成する断熱性素材としては、発泡ポリエチレンなどを用いても構わない。
【００２９】
また、箱部１２の内側の底面には、触媒板３２が形成され、該触媒板３２の下方には空間２０が形成され、その空間２０の底面に紫外線を放射する紫外線冷極管灯３４と、紫外線冷極管灯３４を点灯させる為の電源として二次電池が設けられている。
【００３０】
触媒板３２は、透明なポリカーボネイトで板状に形成されており、該板の上面には、二酸化チタンの微粒子を液状化し薄膜状に塗布した光触媒の薄膜層が形成されている。該触媒板３２に塗布する二酸化チタンの粒子径は、小さい程光触媒効果が高く、二酸化チタンの微粒子を液状化して１μｍ以下の透明な薄膜としてポリカーボネイト板の表面に塗布して形成するようことが望ましい。この二酸化チタンによる光触媒の薄膜層には、光触媒による酸化分解作用からポリカーボネイトを保護する保護膜層も含まれている。
【００３１】
また、光触媒に使用される触媒として、他の光半導体微粒子も使用可能ではあるが、実施例で使用している二酸化チタンは、安定性・安全性共に優れており好適である。
【００３２】
紫外線冷極管灯３４は、波長の短い光である紫外線を放射する電灯である。実施例の紫外線冷極管灯３４で、放射される紫外線の波長は、３５０〜３８０ｎｍである。また、３２０ｎｍ以下の波長は、人体に有害な紫外線となるため３２０ｎｍ以下の波長を放射しないものが望ましい。また紫外線冷極管灯３４は、電灯以外にも、発光ダイオードを用いるようにしてもよい。また紫外線冷極管灯３４から放射される光を触媒板３２に対して効果的に放射する為に、紫外線冷極管灯の周囲に反射鏡や散光板などを形成することにより、光触媒効果を増すことが可能である。
【００３３】
紫外線冷極管灯３４に電力を供給する電源として、二次電池を使用している。実施例の二次電池は、箱部１２の側面に充電端子１８が形成され、該充電端子１８を介して二次電池の充電することを可能としている。また図示しないが携帯用保冷箱１０には電源スイッチが設けられ、該電源スイッチが押圧されると、紫外線冷極管灯３４が点灯する。
【００３４】
このように構成することによって、図２に示すように箱部１２の底面に形成された触媒板３２の下方から波長の短い光である紫外線を照射することによって、該触媒板３２の上面と接触する空気や水などは、光触媒の効果として除菌及び脱臭することが可能となる。
【００３５】
次に、図３〜４を用いて別の実施例の説明を行う。図３は、携帯用保冷箱１０の外観を示す図であり、図４は、携帯用保冷箱１０の断面を示す図である。
【００３６】
図３に示す携帯用保冷箱１０は、先の実施例と同様に、上端に開口を有する箱部１２と、該箱部１２の上端の開口を覆うよう蓋部１４からなる。また、該箱部１２の上端の開口の端辺にヒンジ１６を備え、該蓋部１４は、開閉自在に軸支されている。該箱部１２及び蓋部１４は、発泡ウレタン樹脂で形成されており、携帯用保冷箱１０内の温度を保つようになっている。また、箱部１２及び蓋部１４を形成する素材として発泡ポリエチレンなどを用いても構わない。
【００３７】
携帯用保冷箱１０内の底面に配設される光触媒装置３０は、方形状に形成されている。光触媒装置３０の上面には触媒板３２が形成されており、また光触媒装置３０の内部には、紫外線冷極管灯３４と該紫外線冷極管灯３４に電力を供給する電源として二次電池が内設している。また図示しないが光触媒装置３０には電源スイッチが設けられ、該電源スイッチが押圧されると、紫外線冷極管灯３４が点灯する。
【００３８】
また、光触媒装置３０の底面四隅には、吸盤３６が形成されて、光触媒装置３０は、該吸盤３６によって、携帯用保冷箱１０内の底面に着脱自在に取付けられている。また、携帯用保冷箱１０を持ち運ぶ際に、携帯用保冷箱１０にかかる振動を吸盤３６によって吸収されるために、光触媒装置３０の耐衝撃性を増すことが可能である。また、実施例では、吸盤３６を用いているが、吸着性のあるスポンジや、面ファスナーなどを使用して取付けるようにしても構わない。
【００３９】
また光触媒装置３０の取付けられる位置は、携帯用保冷箱１０内であれば、どの位置であっても光触媒の効果を得ることが可能であるが、光触媒装置３０を携帯用保冷箱１０の底面に固着させることによって、携帯用保冷箱１０内に収容される物と接触する面を増やすことが可能であり、光触媒の効果が増すことが可能である。
【００４０】
このように構成し、携帯用保冷箱１０内の底面に光触媒装置３０を配設することによって、図４に示すように光触媒装置３０の上面に形成された触媒板３２の下方から波長の短い光である紫外線を照射することができ、該触媒板３２の上面と接触する空気や水などを、光触媒の効果によって除菌及び脱臭することが可能となる。
【００４１】
酸化チタン光触媒の概要を簡単に説明すると、二酸化チタンが薄膜として塗布された触媒板３２の表面では、波長の短い光（紫外線）照射することにより空気中又は水の中に溶け込んでいる酸素が光吸着され、該酸素と電子ｅ−とが反応をすることにより、スーパーオキサイドイオンＯ２−が形成される。さらに、正孔ｈ＋、電子ｅ−と反応し、強力な活性酸素である原子状酸素Ｏ−が生じる。この原子状酸素Ｏ−が有機部を酸化分解する働きを行う。この為に、有機物である雑菌は分解されるために、臭いなどが発生することがない。
【００４２】
携帯用保冷箱１０内に釣った魚と保冷用の氷などを一緒に収容した場合、有機物であり保冷箱の中を汚し悪臭を放つ原因となる魚の体液、排泄物、血液などと、氷が溶け出した水に含まれる雑菌などが、光触媒の効果によって分解され、除菌及び脱臭される。
【００４３】
以上説明したように構成することにより、携帯用保冷箱内に液状化した二酸化チタンを塗布した触媒板を形成し、該触媒板に波長の短い光である紫外線を照射することにより光触媒作用が生じ、この光触媒作用による強い酸化触媒作用から携帯用保冷箱内の殺菌及び脱臭することができる携帯用保冷箱を提供することができる。また、好ましい実施例を挙げて本発明を説明したが、本発明はその実施例に限定されるものではなく、本発明の要旨の範囲内で種々に改変できる。
【図面の簡単な説明】
【００４４】
【図１】本発明の一実施例である携帯用保冷箱の外観を示す図である。
【図２】本発明の一実施例である携帯用保冷箱の断面を示す図である。
【図３】本発明の一実施例である携帯用保冷箱の外観を示す図である。
【図４】本発明の一実施例である携帯用保冷箱の断面を示す図である。
【符号の説明】
【００４５】
１０    携帯用保冷箱
１２    箱部
１４    蓋部
１６    ヒンジ
１８    充電端子
２０    空間
３０    光触媒装置
３２    触媒板
３４    紫外線冷極管灯
３６    吸盤
【図１】
2006317100.tif 000003
【図２】
2006317100.tif 000004
【図３】
2006317100.tif 000005
【図４】
2006317100.tif 000006